(57)【特許請求の範囲】
【請求項１】
シッティング及び／又はレーイング家具用の調節可能なクッション装置であって、
（イ）少なくとも１つの面状の、弾性的に変形可能なクッション部材を有し、
（ロ）前記クッション部材を面で支持する基体（２）を備えた少なくとも１つの調節可能な支持装置（４）を有し、
（ハ）前記支持装置（４）の少なくとも１部分の傾き及び／又は高さを調節する、前記支持装置（４）に配置された電気モータ式の調節手段を有し、
（ニ）前記クッション部材と前記支持装置（４）と前記調節手段とが１つのユニットに結合されている、
形式のシッティング及び／又はレーイング家具用の調節可能なクッション装置において、
前記クッション部材が前記支持装置（４）と前記調節手段と共に、共通のジャケットに受容されており、該ジャケットが前記クッション部材と調節手段を有する前記支持装置（４）とから成るユニットを完全に取囲んでいることを特徴とする、シッティング及び／又はレーイング家具用の調節可能なクッション装置。
【請求項２】
前記クッション部材が前記支持装置（４）と解離可能に結合されかつ前記クッション部材を前記支持装置（４）に保持するための保持部材が設けられている、請求項１記載のクッション装置。
【請求項３】
前記クッション部材が前記支持装置（４）に不動に結合されている、請求項１記載のクッション装置。
【請求項４】
前記クッション部材が前記支持装置（４）に接着されているか又は発泡成形されている、請求項３記載のクッション装置。
【請求項５】
前記調節手段が前記支持装置（４）の上側の制限面と下側の制限面との間にほぼ完全に配置されている、請求項１記載のクッション装置。
【請求項６】
前記調節手段が少なくとも１つの電気モータ式の調節駆動装置、特に少なくとも１つのリニア駆動装置（４８，５０）を有している、請求項１記載のクッション装置。
【請求項７】
前記基体（２）が互いに間隔をおいた縦ビーム（１６〜２２，２８〜３４，４０，４２）とその長手方向の端部における横ビーム（２４，２６）とを有し、前記縦ビーム（１６〜２２，２８〜３４，４０，４２）及び／又は横ビーム（２４，２６）が前記クッション部材に面した側に弾性的な材料から成る支持面（５８）を有し、該支持面（５８）の上に前記クッション部材が支持されている、請求項１記載のクッション装置。
【請求項８】
前記支持面（５８）がストライプ状に構成されている、請求項７記載のクッション装置。
【請求項９】
前記支持装置（４）の前記基体（２）が前記クッション部材に向いた側に、互いに間隔をおいた、ばね弾性的な横木（５２，５４）、特に木製の横木を有し、これらの横木（５２，５４）の上に前記クッション部材が支持されている、請求項７記載のクッション装置。
【請求項１０】
前記支持面（５８）に切欠き（６０）が形成され、該切欠き（６０）内に前記横木（５２，５４）の自由端部が係合している、請求項９記載のクッション装置。
【請求項１１】
前記切欠き（６０）が前記横木（５２，５４）の自由端部に対しほぼ相補的に形成されている、請求項１０記載のクッション装置。
【請求項１２】
前記横木（５２，５４）の自由端部の、前記クッション部材に向いた面と、境界を接する前記支持面（５８）とがほぼ同一平面を成している、請求項９記載のクッション装置。
【請求項１３】
前記横木（５２，５４）が前記支持装置（４）の前記基体（２）の前記縦ビーム（１６〜２２，２８〜３４，４０，４２）に支持されている、請求項９記載のクッション装置。
【請求項１４】
前記弾性的な材料がプラスチックフォームである、請求項７記載のクッション装置。
【請求項１５】
前記縦ビーム（１６〜２２，２８〜３４，４０，４２）及び／又は横ビーム（２４，２６）が少なくとも部分的に包囲されるようにプラスチックフォームで発泡成形されている、請求項１４記載のクッション装置。
【請求項１６】
前記支持装置（４）の前記基体（２）が前記クッション部材を面で支える第１の支持部分と少なくとも１つの第２の支持部分とを有し、前記第１の支持部分と前記第２の支持部分とが互いにヒンジ結合されかつ前記調節手段により互いに相対的に旋回可能である、請求項１記載のクッション装置。
【請求項１７】
前記第１の支持部分が中央の支持部分（６）によってかつ前記第２の支持部分が上半身支持部分（８）によって形成されており、下肢支持部分（１０）が設けられており、該下肢支持部分（１０）が、前記上半身支持部分（８）とは反対側にて、前記上半身支持部分（８）の旋回軸に対しほぼ平行な旋回軸を中心として旋回可能に前記中央の支持部分（６）と結合されている、請求項１６記載のクッション装置。
【請求項１８】
ヘッド支持部分（１２）が設けられ、該ヘッド支持部分（１２）が前記上半身支持部分（８）に、前記中央の支持部分（６）とは反対側にて、前記上半身支持部分（８）の旋回軸に対してほぼ平行な旋回軸を中心として旋回可能に結合されている、請求項１７記載のクッション装置。
【請求項１９】
ふくらはぎ支持部分（１４）が設けられており、該ふくらはぎ支持部分（１４）が前記下肢支持部分（１０）に前記中央の支持部分（６）とは反対側で、前記下肢支持部分（１０）の旋回軸に対しほぼ平行な旋回軸を中心として旋回可能に結合されている、請求項１７記載のクッション装置。
【請求項２０】
前記ジャケットが少なくとも１つの閉鎖可能な開口を有し、該開口を介して前記調節手段に接近可能である、請求項１記載のクッション装置。
【請求項２１】
前記開口が務歯ファスナ、面ファスナ又はそれに類似したものによって閉鎖可能である、請求項２０記載のクッション装置。
【請求項２２】
前記ジャケットが繊維材料から成るカバーから形成されている、請求項１記載のクッション装置。
【請求項２３】
前記クッション部材がマットレス（６８）である、請求項１記載のクッション装置。
【請求項２４】
請求項１から２３までのいずれか１項記載のクッション装置を有することを特徴とするシッティング及び／又はレーイング装置。
【発明の詳細な説明】
【０００１】
本発明は、シッティング及び／又はレーイング家具のための調節可能なクッション装置に関する。
【０００２】
シッティング及び／又はレーイング家具のためのクッション装置は例えば独立したマットレスと独立した横木格子体とを組合わせた形で一般的に公知である。横木格子体とマットレスとから成る前記組合せの欠点は、通常、横木格子体のばね弾性特性がマットレスに合わせられていないことである。これは使用者の快適性を損なう。
【０００３】
又、横木格子体の少なくとも１部分の傾き及び／又は高さを調節するための調節手段を有する調節可能な横木格子体も公知である。しかしこの横木格子体も独立したマットレスと共に用いられるので、マットレスを横木格子体に合わせることは可能ではなく、同様に使用者の快適性の損失をもたらす。
【０００４】
本発明の課題は快適性及び人間工学的な特性が改善されたシッティング及び／又はレーイング家具用のクッション装置を提供することである。
【０００５】
本発明の課題は請求項１に記載した構成によって解決された。
【０００６】
本発明の構成の基本思想は、クッション部材、例えばマットレスを支持装置、例えば横木格子体と調節手段と共に１つのユニットに結合することである。このような形式で支持装置をクッション装置に最適に適合させることが可能で、これにより利用者のための快適性を改善することができる。クッション部材の厚さは例えば、クッション部材のばね弾性特性が主として支持装置のばね弾性特性によって決定されるように選択されることができる。さらにクッション部材は支持装置の調節の可能性に適合させられることができる。
【０００７】
クッション部材は支持装置と結合されているので、搬送と取扱いは、クッション部材と支持装置とが個別のユニットとして構成されている従来のクッション装置に較べて著しく簡易化される。
【０００８】
本発明によるクッション装置は簡単にかつ費用的に有利に製作可能でかつ多様に使用可能である。
【０００９】
クッション部材を支持装置と調節手段と共に１つのユニットに結合することは例えば、クッション部材が支持装置と解離可能に結合され、本発明の思想の有利な変化実施例にて実施されているように、クッション部材を支持装置に保持するための保持手段が設けられていることで行なわれる。この場合、保持手段は任意の適宜の形式で構成されていることができる。
【００１０】
本発明の思想の特に有利な１実施例によればクッション部材は支持装置に固定的に結合されている。このような形式で本発明によるクッション装置の構造は特に簡単になる。クッション部材と支持装置は本発明によるクッション装置を製造する場合に任意の適当な形式で固定的に互いに結合されることができる。
【００１１】
前記実施例の別の構成では、クッション部材は支持装置の上に接着されるか又は発泡成形されていることができる。この実施例では本発明によるクッション装置の製造は一層簡易化される。
【００１２】
本発明の思想の別の構成では、調節手段はほぼ完全に、支持装置上側の制限面と下側の制限面との間に配置されている。このような形式で調節手段は支持装置を越えて突出することはないので、支持装置、ひいてはクッション装置の構成高さは低くなる。
【００１３】
調節手段は任意の適宜の形式で構成されていることができる。有利な形式で調節手段は少なくとも１つの電動式の調節駆動装置、特に少なくとも１つの直線駆動装置を有している。特に直線駆動装置は簡単な、費用的に有利でかつ頑丈なスタンダード構成部分として入手可能であるので、本発明によるクッション装置全体は費用的に有利に構成される。
【００１４】
本発明の思想の別の構成によれば、基体は互いに間隔をおいた縦ビームと長手方向で基体端部に横ビームとを有し、縦ビーム及び／又は横ビームがクッション部材に向いた側に、弾性的な材料から成る支持面を有し、該支持面の上にクッション部材が支持されている。弾性的な材料を適当に選択することによってクッション装置のばね弾性特性に影響を及ぼすことができる。
【００１５】
先きに述べた実施例では前記支持面はストライプ状に構成されている。
【００１６】
別の有利な構成では基体はクッション部材に向いた側に互いに間隔をおいた、ばね弾性的な横材、特に木製の横材から成り、該横材の上にクッション部材が支持されている。この実施例では支持装置は横木格子体の形式で構成されている。
【００１７】
支持面と横木とを有する実施例のきわめて有利な別の構成では、支持面に切欠きを形成し、該切欠きに横木がその自由端部で係合するようにすることが提案されている。この実施例においては横木は支持装置の基体とクッション部材との間に保持されるので、横木を基体に保持する保持手段は必要ではない。これによりクッション装置の構造は簡易化され、クッション装置の製造は費用的に有利に行われる。
【００１８】
先の実施例では前記切欠きは有利な形式で、横木の自由端部に対しほぼ相補的に、横木が前記切欠き内に形状接続で保持されるように形成されている。
【００１９】
支持面と横木とを有する実施例の別の有利な構成では、横木の端部の、クッション部材に向いた面とこれに境界を接する支持面とがほぼ同一平面を成している。この実施例では横木の端部は境界を接する支持面と共に、クッション部材のために一貫した支持面を形成し、クッション部材はこの支持面の上に接着され、ひいては確実に支持装置と結合されていることができる。
【００２０】
原則的には横木と基体の縦ビームとの間には弾性的な材料が設けられ、クッション部材のばね特性に影響を及ぼすことができる。しかし、有利な形式で横木は基体の縦ビームの上に支持され、縦ビームは横木のための支持体を形成し、ひいてはクッション装置のばね特性はもっぱら横木とクッション部材とのばね特性に関連する。
【００２１】
弾性的な材料から成る支持面を有する実施例の場合には弾性的な材料は１つの実施例にて用いられているようにプラスチックフォームである。これにより本発明によるクッション装置の製作はさらに簡易化される。
【００２２】
縦ビーム及び／又は横ビームは１実施例で行われているようにプラスチックフォームで包囲み発泡成形されていることができる。
【００２３】
支持装置の基体の形、大きさ及び構造については広範囲で選択することができる。有利な形式で支持装置の基体はクッション部材を面状に支持するために１つの第１の支持部分と少なくとも１つの第２の支持部分とを有している。この場合、第１の支持部分と第２の支持部分とは互いに旋回可能に結合されかつ調節手段により互いに相対的に旋回可能である。この実施例の場合には第１の支持部分と第２の支持部分は傾きを変えるために互いに調節される。
【００２４】
前記実施例の有利な別の構成では、第１の支持部分は中間の支持部分によりかつ第２の支持部分は上半身支持部分により形成され、中間の支持部分に上半身支持部分とは反対側にて上半身支持部分の旋回軸に対しほぼ平行な旋回軸を中心として旋回可能に結合された下肢支持部分を備えている。この実施例はクッション装置を利用者の上半身領域でも下肢領域でも調節することを可能にするので、人間工学的な改善が得られる。
【００２５】
前記実施例の別の構成ではヘッド支持部分が設けられ、該ヘッド支持部分は中央の支持部分とは反対側で上半身支持部分にヒンジ状にかつ中央の支持部分の旋回軸に対してほぼ平行な旋回軸を中心として旋回可能に結合されている。別の構成ではふくらはぎ支持部分が設けられ、該ふくらはぎ支持部分は下肢支持部分に、中央の支持部分とは反対側にてヒンジ状にかつ下肢支持部分の旋回軸にほぼ平行な旋回軸を中心として旋回可能に結合されている。先に述べた両方の実施例では利用者のヘッドもしくはふくらはぎの領域に付加的な調節の可能性が得られるように人間工学的な改善が達成される。
【００２６】
有利な形式でクッション部材は支持装置と調節手段と共に共通のジャケット内に受容されている。このジャケットはクッション部材と支持装置とから成るユニットを調節手段を含めて有利にはほぼ完全に取囲む。このような形成で支持装置と調節手段は完全に隠されかつ視覚的には姿を見せない。この結果、本発明によるクッション装置は調節可能ではない横木格子のない従来のマットレスのような視覚的印象を呈する。
【００２７】
先の実施例の別の構成では、ジャケットは少なくとも１つの閉鎖可能な開口を有し、調節手段が当該開口を通して接近できるようになっている。これは調節手段の保守を容易にするか又は故障が発生した場合に部品の交換を容易にする。
【００２８】
原則的には前記開口を縫合し、必要な場合に縫目を解くことができるようにすることが可能である。しかしながら当該開口はスライドファスナ、面ファスナ又はそれに類似したもので閉鎖可能であると有利である。これは必要な場合に調節手段の接近を容易にしかつ簡単な形式で開口の再閉鎖を可能にする。
【００２９】
ジャケットは任意の適宜の材料から成ることができる。有利な形式でジャケットは１つの実施例の場合のように繊維材料から成るカバーによって構成されていることができる。このような形式で湿気の吸収がクッション部材によって可能であり、本発明のクッション装置は積極的に呼吸するように構成されるようになる。
【００３０】
本発明によるクッション部材の形、大きさ及び材料は広範囲で選択可能である。しかし使用目的に応じて複数のクッション部材を設けることができる。シッティング及び／又はレーイング家具がベット又は寝台であると、１実施例のようにクッション部材がマットレスであると有利である。
【００３１】
本発明による支持装置を備えたシッティング及び／又はレーイング家具は請求項２５に記載してある。
【００３２】
以下、添付図面の１実施例に基づき本発明を説明する。
【００３３】
図面においては同じ構成部分もしくは相応する構成部分には同じ符号が付けられている。
【００３４】
図１には本発明によるクッション装置の図１に示されていない横木で横木格子体として構成された支持装置が示されている。この場合、支持装置は、図１に示されていない、この実施例ではマットレスとして構成されたクッション部材を面で支えるために支持装置４の長手方向に連続する支持部分を有している。
【００３５】
詳細には支持装置４は、中央の支持部分６を形成する第１の支持部分を有している。この第１の支持部分には一方の側にてヒンジ状にかつ水平な旋回軸を中心として旋回可能に上半身支持部分８が結合されかつ上半身支持部分８とは反対側にてヒンジ状にかつ水平な旋回軸を中心として旋回可能に下肢支持部分１０が結合されている。
【００３６】
上半身支持部分８には中央支持部分とは反対側にてヒンジ状にかつ水平な旋回軸を中心として旋回可能にヘッド支持部分１２が結合されている。又、下肢支持部分１０には中央部分とは反対側にてヒンジ状にかつ水平な旋回軸を中心としてふくらはぎ部分１４が結合されている。
【００３７】
ヘッド支持部分１２とふくらはぎ支持部分１４はそれぞれ横ビーム３６，３８を介して互いに結合された縦ビーム２８，３０もしくは３２，３４をそれぞれ有している。
【００３８】
中央の支持部分６は横ビーム４４，４６を介して互いに結合された縦ビーム４０，４２を有している。
【００３９】
支持装置４の基体２には支持部分６，８，１０，１２，１４を互いに相対的に調節するための調節手段が設けられている。調節手段はこの実施例の場合には、２つの電気モータ式の直線駆動装置４８，５０を有している。この場合、直線駆動装置４８はここでは図示されていない作動メカニズムを介して上半身支持部分８とヘッド支持部分１０とに結合され、上半身支持部分８が中央の支持部分６に対して相対的にかつヘッド支持部分１２が上半身支持部分８に対し相対的にそれぞれ旋回軸を中心として旋回可能で、ひいてはその傾きが調節可能になっている。直線駆動装置５０は同様にここでは図示されていない作動メカニズムを介して下肢支持部分１０とふくらはぎ支持部分１４とに結合され、下肢支持部分１０が中央の支持部分６に対して相対的にかつふくらはぎ支持部分１４が下肢支持部分１０に対して相対的に旋回可能で、これにより傾きが調節可能になっている。
【００４０】
直線駆動装置４８，５０は中央の支持部分６の縦ビーム４０，４２の上面を通って延在する上側の制限面と中央の支持部分６の縦ビーム４０，４２の下面を通って延在する下側の制限面との間で、中央の支持部分６、ひいては支持装置４の基体２に受容されている。このような形式で支持装置２は小さな構成高さを有している。
【００４１】
図２には図１の支持装置が示されている。この場合、上半身支持部分８と下肢支持部分１０は中央の支持部分６に対して相対的にかつヘッド支持部分１２は上半身支持部分８に対し相対的にかつふくらはぎ支持部分１４は下肢支持部分１０に対して相対的に調節されている。
【００４２】
図１に示された支持部分６，８，１０，１２，１４の調節位置は図面に示されていない、本発明によるクッション装置を備えたシッティング兼レーイング家具のレーイング位置に相当しているのに対し、図２に示された支持部分６，８，１０，１２，１４の調節位置はシッティング兼レーイング家具のシッティング位置に相応している。
【００４３】
中央の支持部分６はシッティング兼レーイング家具の下部構造体と結合されていることができる。
【００４４】
図３に示された支持装置４においては、基体２の長手方向に連続して、ばね弾性的な材料、例えば木材から成る横材が前記基体２に保持されている。図２には２つの横木だけが符号５２，５４で示されている横木は支持装置４の横方向に延在している。
【００４５】
基体２の縦ビーム１６〜２２，２８〜３４及び４０，４２と横ビーム２４，２６は、この実施例では弾性的なプラスチックフォーム５６によって包込み発泡成形され、ほぼ平らな環状の弾性的な支持面５８が図３に示されていないクッション装置のクッション部材を支持するために形成されている。
【００４６】
支持面５８には縦ビーム１６〜２２，２８〜３４及び４０，４２の領域に、互いに間隔をおいて切欠きが形成されている。これらの切欠きの内、図３にはただ１つの切欠きが符号６０で示されておりかつ切欠きは横木５２，５４の自由端部に対し相補的に成形されている。横木５２，５４は自由端部で切欠き６０に係合しかつ縦ビーム１６〜２２，３０〜３４及び４０，４２まで延びる切欠き６０に形状接続的に、横木５２，５４が縦ビーム１６〜２２，２８〜３４及び４０，４２に支持されるように保持される。
【００４７】
図４には図３の支持装置４が示されている。この場合、支持部分６，８，１０，１２，１４は直線駆動装置４８，５０で互いに相対的に調節されている。
【００４８】
図５には本発明によるクッション装置６２が示されている。図５に示されていないマットレスの形をしたクッション部材を支持装置４と調節手段と共に１つのユニットに結合するためにはマットレスが支持装置４の支持面５８の上に載せられかつ接着剤で該支持面に接着される。したがってマットレスは支持装置４に不動に結合されかつ横木５２，５４は確実に、マットレスと支持装置４の基体との間に保持される。
【００４９】
支持装置４と調節手段とマットレスとから成るユニットは、この実施例の場合にはジャケットを有している。このジャケットはこの実施例では繊維材料から成るカバー６４によって形成され、前記ユニットを完全に取囲んでいる。
【００５０】
カバー６４は支持装置４にマットレスを保持するための保持手段を形成し、マットレスが支持装置４にカバー６４で保持される。この場合にはマットレスを支持装置４に接着することは必要ではなくなる。
【００５１】
カバー６４がクッション装置６２の下方縁部６６の領域に環状の務歯ファスナを有し、閉鎖可能な開口が形成され、この開口を通して調節手段が接近可能であることは図面からは判らないので、ここに説明しておく。これは調節手段の保守を容易にするか又は故障が発生した場合に調節手段の部分の交換を容易にする。
【００５２】
図６に示されたクッション装置６２においては支持部分６，８，１０，１２，１４は直線駆動須知を用いて互いに相対的に調節されている。
【００５３】
図７には図５のＶＩＩ−ＶＩＩ線に沿った断面が示されている。横ビーム２６はプラスチックフォーム５６で包込み発泡成形されており、マットレス６８が支持面５８に支持されている。カバー６４は支持装置４と調節手段とマットレス６８とから成るユニットを完全に取囲んでいる。
【００５４】
図８は図５のＶＩＩＩ−ＶＩＩＩ線に沿った断面である。横木７０は縦ビーム２２，２０の上に支持されかつ支持面５８に形成された切欠き７２，７４内で縦ビーム２０，２２とマットレス６８との間に保持されている。
【００５５】
本発明のクッション装置６２は支持装置４に対するマットレスの良好な適合を可能にするので利用者には高い快適性が与えられる。例えば、マットレス６８を比較的に薄く構成することができる。このような形式で横木５２のばね特性が厚すぎるマットレスで損なわれることが回避される。この結果、横木格子とマットレスとの従来の組合せに比べて快適性が著しく高められる。
【図面の簡単な説明】
【図１】  本発明によるクッション装置の支持装置の１実施例の基体の概略的な斜視図であって、支持装置支持部分が互いに相対的に調節されていない図。
【図２】  小さい寸法で図１と同様に基体を示した図であって、支持部分が互いに相対的に調節されている図。
【図３】  基体を該基体に保持されたばね弾性の横木と共に示した斜視図であって、支持部分が互いに相対的に調節されていない図。
【図４】  図３の基体を図３と同じ図で示した図であって、支持装置の支持部分が互いに相対的に調節されている図。
【図５】  本発明によるクッション装置の１実施例の斜視図であって、支持装置が調節手段とクッション部材と共にカバーの形をしたジャケットに受容され、支持装置の支持部分が互いに相対的に調節されていない図。
【図６】  図５のクッション装置を図５と同じ図で示した図であって、支持装置の支持部分が図４に示した形式で互いに相対的に調節されている図。
【図７】  図６のＶＩＩ−ＶＩＩに沿った断面図。
【図８】  図６のＶＩＩＩ−ＶＩＩＩに沿った断面図。
【符号の説明】
２  基体、  ４  支持装置、  ６  支持部分、  ８  上半身支持部分、  １０  下肢支持部分、  １２  ヘッド支持部分、  １４  ふくらはぎ支持部分、  １６，１８，２０，２２  縦ビーム、  ２４，２６  横ビーム、  ２８，３０，３２，３４  縦ビーム、  ３６，３８  横ビーム、  ４０，４２  縦ビーム、  ４４，４６  横ビーム、  ４８，５０  直線駆動装置、  ５２，５４  横木、  ５６  プラスチックフォーム、  ５８  支持面、  ６０  切欠き、  ６２  クッション装置、  ６４  ジャケット、  ６６  縁部、  ６８  マットレス、  ７０  横木、  ７２，７４  切欠き
【図１】
0003810687.tif 000002
【図２】
0003810687.tif 000003
【図３】
0003810687.tif 000004
【図４】
0003810687.tif 000005
【図５】
0003810687.tif 000006
【図６】
0003810687.tif 000007
【図７】
0003810687.tif 000008
【図８】
0003810687.tif 000009